(57)【要約】【課題】  画像ファイリングした画像データを様々な用途に効率的に活用でき、画像ファイリングした画像データを出力する際の処理を高速化できる画像ファイリング装置および画像ファイリング方法を提供できる。【解決手段】  画像ファイリング装置としてのデジタル複合機１の画像ファイリング処理では、スキャン処理、ネットワークプリント処理、あるいはファクシミリ受信処理により画像データを入力した際に、入力した画像データを種々のフォーマットに変換し、種々のフォーマットの画像データをファイリングボックス１５ａに保存する。【選択図】      図１
2006094475.tif 000002
【特許請求の範囲】
【請求項１】
画像データを保存する画像ファイリング装置であって、
画像データを入力する画像入力部と、
この画像入力部により入力した画像データを複数の異なるフォーマットの複数の画像データに変換する画像処理部と、
この画像処理部が上記画像入力部で入力した画像データから生成した複数の異なるフォーマットの画像データを保存する記憶部と、
この記憶部に記憶した複数の異なるフォーマットの画像データを１つの画像に関するデータとして管理する管理部と、
を有することを特徴とする画像ファイリング装置。
【請求項２】
上記画像処理部は、上記画像入力部により入力した画像がカラー画像データである場合、上記画像入力部により入力したカラー画像データをモノクロ画像データに変換し、
上記記憶部は、上記カラー画像データと上記モノクロ画像データとを保存し、
上記管理部は、上記記憶部に記憶したカラー画像データとモノクロ画像データとを１つの画像に関するデータとして管理する、
ことを特徴とする前記請求項１に記載の画像ファイリング装置。
【請求項３】
上記画像処理部は、上記画像入力部により入力した画像がカラー画像データである場合、上記画像入力部により入力したカラー画像データを構成する色信号を異なる色信号からなるカラー画像データに変換し、
上記記憶部は、異なる色信号からなる複数のカラー画像データを保存し、
上記管理部は、上記記憶部に記憶した異なる色信号からなる複数のカラー画像データを１つの画像に関するデータとして管理する、
ことを特徴とする前記請求項１に記載の画像ファイリング装置。
【請求項４】
上記画像処理部は、上記画像入力部により入力した画像データを解像度の異なる複数の画像データに変換し、
上記記憶部は、解像度の異なる複数の画像データを保存し、
上記管理部は、上記記憶部に記憶した解像度の異なる複数の画像データを１つの画像に関するデータとして管理する、
ことを特徴とする前記請求項１に記載の画像ファイリング装置。
【請求項５】
上記画像処理部が生成する複数の異なるフォーマットには、印刷に適した画像フォーマットを含む、
ことを特徴とする前記請求項１に記載の画像ファイリング装置。
【請求項６】
上記画像処理部が生成する複数の異なるフォーマットには、画像データをファイルとして転送するのに適した画像フォーマットを含む、
ことを特徴とする前記請求項１に記載の画像ファイリング装置。
【請求項７】
上記画像処理部が生成する複数の異なるフォーマットには、ファクシミリ送信に適した画像フォーマットを含む、
ことを特徴とする前記請求項１に記載の画像ファイリング装置。
【請求項８】
上記画像処理部が生成する複数の異なるフォーマットには、画像データを電子メールで送信するのに適した画像フォーマットを含む、
ことを特徴とする前記請求項１に記載の画像ファイリング装置。
【請求項９】
画像データを保存する画像ファイリング装置に用いられる画像ファイリング方法であって、
画像データを入力することと、
入力した画像データを複数の異なるフォーマットの複数の画像データに変換する画像処理を行うことと、
上記画像処理により入力した画像データから生成した複数の異なるフォーマットの画像データを記憶部に保存することと、
上記記憶部に記憶した複数の異なるフォーマットの画像データを１つの画像に関するデータとして管理すること、
を特徴とする画像ファイリング方法。
【発明の詳細な説明】
【技術分野】
【０００１】
この発明は、例えば、スキャナにより読み取った画像データあるいは外部装置から受信した画像データをファイリングする画像ファイリング機能を有するデジタル複合機などの画像ファイリング装置および画像ファイリング装置に用いられる画像ファイリング方法に関する。
【背景技術】
【０００２】
近年、デジタル複合機等では、スキャナにより読み取った画像をファイリングする画像ファイリング機能を有しているものがある。従来の画像ファイリング機能では、例えば、カラースキャンを行った場合、カラー画像データとしてファイリングボックスに保存し、モノクロスキャンを行った場合、モノクロ画像データとしてファイリングボックスに保存する。また、上記のようなファイリングボックスに保存した画像データは、プリント、ファイル転送などに利用できる。
【０００３】
例えば、カラースキャンしたカラー画像データをファイリングボックスに保存した場合、そのカラー画像データをモノクロ画像でプリントするには、カラー画像データを一旦モノクロ画像データに変換してからモノクロ画像でプリントしたりする必要がある。このような場合、カラー画像データをモノクロ画像データに変換するための処理時間がかかってしまう。すなわち、カラー画像データをモノクロ画像データに変換してモノクロ画像でプリントする場合、モノクロ画像データをモノクロ画像でプリントする場合に比べて、印刷開始指示を出してから実際に印刷結果が出力されるまでの印刷処理速度が遅くなる問題がある。
【特許文献１】特願２０００−１６３３５６号公報
【発明の開示】
【発明が解決しようとする課題】
【０００４】
この発明の一形態では、画像ファイリングした画像データを様々な用途に効率的に活用でき、画像ファイリングした画像データを出力する際の処理を高速化できる画像ファイリング装置および画像ファイリング装置に用いられる画像ファイリング方法を提供することを目的とする。
【課題を解決するための手段】
【０００５】
この発明の一形態としての画像ファイリング装置は、画像データを保存するものであって、画像データを入力する画像入力部と、この画像入力部により入力した画像データを複数の異なるフォーマットの複数の画像データに変換する画像処理部と、この画像処理部が上記画像入力部で入力した画像データから生成した複数の異なるフォーマットの画像データを保存する記憶部と、この記憶部に記憶した複数の異なるフォーマットの画像データを１つの画像に関するデータとして管理する管理部とを有する。
【０００６】
この発明の一形態としての画像ファイリング方法は、画像データを保存する画像ファイリング装置に用いられる方法であって、画像データを入力し、入力した画像データを複数の異なるフォーマットの複数の画像データに変換する画像処理を行い、上記画像処理により入力した画像データから生成した複数の異なるフォーマットの画像データを記憶部に保存し、上記記憶部に記憶した複数の異なるフォーマットの画像データを１つの画像に関するデータとして管理する。
【発明の効果】
【０００７】
この発明の一形態によれば、画像ファイリングした画像データを様々な用途に効率的に活用でき、画像ファイリングした画像データを出力する際の処理を高速化できる画像ファイリング装置および画像ファイリング装置に用いられる画像ファイリング方法を提供できる。
【発明を実施するための最良の形態】
【０００８】
以下、本発明を実施するための最良の形態について図面を参照して説明する。
【０００９】
次に、この発明の実施の形態に係る画像ファイリング装置としてのデジタル複合機（ＭＦＰ：Multi Functional Peripheral）１の構成について説明する。  
図１は、デジタル複合機１の構成を概略的に示すブロック図である。  
図１に示すように、上記デジタル複合機１は、主制御部１０、スキャナ部２１、プリンタ部２２、操作パネル２３などにより構成される。上記主制御部１０は、当該デジタル複合機１の全体を制御するものである。上記主制御部１０は、ＣＰＵ（Central Processing Unit）１１、ＲＯＭ（Read Only Memory）１２、ＲＡＭ（Random Access Memory）１３、記憶装置（ＨＤＤ）１５、ネットワークＩ／Ｆ１６、画像処理部１７、及びファクシミリインターフェース１８等により構成されている。
【００１０】
上記ＣＰＵ１１は、デジタル複合機１全体の制御を司る。上記ＲＯＭ１２は、デジタル複合機１を制御するための制御プログラム等のソフトウェアが格納されている。上記ＲＡＭ１３は、動作上のデータが一時格納される。上記ハードディスクドライブ（ＨＤＤ）１５は、大容量の記憶装置である。
【００１１】
上記ＨＤＤ１５は、ファイリングボックス（ＢＯＸ）１５ａ及びファイルデータベース１５ｂを有している。上記ファイリングボックス１５ａには、画像データ（画像ファイル）、ステータスデータ（ステータスファイル）、およびプロパティデータ（プロパティファイル）などがファイルとして記憶される。上記ファイルデータベース１５ｂは、上記ファイリングボックス１５ａ内の各ファイルの管理データを保持する。
【００１２】
上記ネットワークインターフェース１６は、ネットワーク（図示しない）を介して外部機器とのデータ通信を行うためのインターフェースである。上記ファクシミリインターフェース１８は、ＦＡＸ回線（図示しない）あるいはネットワーク（図示しない）を介して外部機器とのファクシミリデータの送受信を行うインターフェースである。
【００１３】
上記画像処理部１７は、画像処理ＡＳＩＣ、ＲＩＰ処理部、画像処理ミドルウエアなどにより構成される。上記画像処理部１７では、画像データの補正、圧縮、伸張などの画像処理の他、画像データの色変換、画像データの解像度変換などを行う。上記画像処理部１７は、例えば、カラー画像を白黒画像に変換する処理、カラー画像をグレイ画像に変換する処理、ＲＧＢのカラー画像データをＹＭＣＫのカラー画像データに変換する処理、ＹＭＣＫのカラー画像データをＲＧＢのカラー画像データに変換する処理などを行う。なお、画像処理部１７の処理については、後で詳細に説明する。
【００１４】
また、上記ＣＰＵ１１には、スキャナ部２１、プリンタ部２２、及び操作パネル２３などが接続されている。上記スキャナ部２１は、原稿の画像を光学的に読み取って画像データに変換するものである。上記スキャナ部２１は、本実施の形態では、原稿の画像をカラーで読み取るカラースキャナであるものとする。また、上記スキャナ部２１は、ＲＧＢ（レッドＲ、グリーンＧ、ブルーＢ）のカラー画像を読み取る。また、上記スキャナ部２１は、少なくともプリンタ部２２の印刷解像度よりも大きな最大解像度を有する。
【００１５】
上記プリンタ部２２は、被画像形成媒体上に画像をプリントするものである。上記プリンタ部２２は、スキャナ部２１により読み取った画像データ、あるいは外部装置から受信した画像データなどに基づいて画像を被画像形成媒体にプリントする。上記プリンタ部２２は、ＹＭＣＫ（イエローＹ、マゼンタＭ、シアンＣ、ブラックＫ）のカラー画像データに基づいてカラープリントを行う。
【００１６】
上記操作パネル２３は、ユーザに対する操作案内や当該デジタル複合機の動作設定の状態などを表示する表示機能とユーザからの操作指示が入力される操作機能とを有している。例えば、上記操作パネル２３は、タッチパネル内蔵の表示装置およびテンキーなどのハードキー等により構成される。
【００１７】
次に、上記デジタル複合機１により実現される画像ファイリング機能について説明する。  
図２は、デジタル複合機１の画像ファイリング機能による画像データの入出力を説明するための図である。図２では、デジタル複合機１がＨＤＤ１５内のファイリングボックス１５ａを使用して実現する画像ファイリング機能を概念的に示している。
【００１８】
デジタル複合機１の画像ファイリング機能では、図２に示すように、コピー処理、プリント（ネットワークプリンタ）処理、スキャン処理、ファクシミリ処理（ウォークアップＦＡＸ処理、ＦＡＸ受信処理）、あるいは、電子メール受信処理などの際に、画像データをファイリングボックス１５ａに入力する。
【００１９】
例えば、操作パネル２３にて原稿画像のコピーが指示された場合、デジタル複合機１は、原稿画像をスキャナ部２１によりスキャンし、スキャンした画像をプリンタ部２２によりプリントするコピー処理を実行する。これとともに、当該デジタル複合機１は、画像ファイリング機能として、スキャン（コピースキャン）した画像データをファイリングボックス１５ａに保存する。
【００２０】
上記ネットワークインターフェース１６により外部装置からプリント用の画像データを受信した場合、デジタル複合機１は、外部装置から受信した画像データを上記プリンタ部２２によりプリント（ネットワークプリント）処理する。これとともに、当該デジタル複合機１は、画像ファイリング機能として、外部装置から受信したプリント用の画像データをファイリングボックス１５ａに保存する。
【００２１】
上記操作パネル２３にて原稿画像のスキャンが指示された場合、デジタル複合機１は、上記スキャナ部２１により原稿画像のスキャン処理を実行する。これとともに、当該デジタル複合機１は、画像ファイリング機能として、スキャンした画像データをファイリングボックス１５ａに保存する。
【００２２】
上記ファクシミリインターフェース１８により外部装置からファクシミリデータを受信した場合、デジタル複合機１は、外部装置から受信したファクシミリデータを上記プリンタ部２２によりプリントする。これとともに、当該デジタル複合機１は、上記画像ファイリング機能として、受信したファクシミリデータをファイリングボックス１５ａに保存する。  
上記ネットワークインターフェースにより電子メールとして画像データを受信した場合、デジタル複合機１は、画像ファイリング機能として電子メールの画像データをファイリングボックス１５ａに保存する。
【００２３】
また、デジタル複合機１の画像ファイリング機能では、図２に示すように、プリント（ネットワークプリンタ）処理、ファイル転送処理、電子メール送信処理、あるいはファクシミリ送信処理などの際に、画像データをファイリングボックス１５ａから出力する。  
例えば、ファイリングボックス１５ａ内の画像データをプリントする場合、デジタル複合機１は、上記ファイリングボックス１５ａに保存されている画像データとしてのプリント用の画像データを上記プリンタ部２２により被画像形成媒体に印刷し、出力する。
【００２４】
また、ファイリングボックス１５ａ内の画像データをネットワークにより接続されているＰＣ等の外部装置へ転送する場合、デジタル複合機１は、上記ファイリングボックス１５ａに保存されている画像データとしてのファイル転送用の画像データのファイルを上記ネットワークインターフェース１６により外部装置へ転送する。
【００２５】
また、ファイリングボックス１５ａ内の画像データを電子メールとして外部装置へ送信する場合、デジタル複合機１は、上記ファイリングボックス１５ａに保存されている画像データとしての電子メール用の画像データを添付した電子メールを作成し、その電子メールを上記ネットワークインターフェース１６により外部装置へ送信する。
【００２６】
また、ファイリングボックス１５ａ内の画像データをファクシミリデータとして外部装置へ送信する場合、デジタル複合機１は、上記ファイリングボックス１５ａに保存されている画像データとしてのファクシミリデータを上記ファクシミリインターフェース１８により外部装置へ送信する。
【００２７】
さらに、デジタル複合機１では、ネットワークを介して接続可能なるｗｅｂ上で公開されている画像データを処理する機能として、ｗｅｂドキュメントエディット機能を有している。上記ｗｅｂドキュメントエディット機能では、ｗｅｂ上で公開されている画像データを上記ファイリングボックス１５ａへ入力したり、出力したりする。
【００２８】
上記のように、画像ファイリング機能では、スキャナによりスキャンした画像データ、あるいは外部装置から受信した画像データをファイリングボックス１５ａに保存する。さらに、画像ファイリング機能では、ファイリングボックス１５ａ内の画像データを必要に応じて出力する。
【００２９】
上記画像ファイリング機能により上記ファイリングボックス１５ａに保存される画像データは、出力時の用途に適した形式であることが好ましい。これは、画像データの形式に変換するには処理に時間を要してしまうからである。しかしながら、画像データをファイリングボックス１５ａに保存する際に、当該画像データの出力時の形式を一意に決めることは困難である。従って、本実施の形態では、画像データを種々の形式（種々の用途に応じた形式）でファイリングボックス１５ａに保存するようになっている。
【００３０】
次に、上記画像ファイリング機能による画像データに対する処理について説明する。  
図３は、画像ファイリング機能による画像データに対する処理の流れを示す図である。  
まず、スキャン処理で読み取った画像データあるいはコピー処理の過程（コピースキャン）で読み取った画像データに対する処理について説明する。
【００３１】
上記操作パネル２３によりユーザが原稿画像のスキャンを指示すると、上記主制御部１０のＣＰＵ１１は、上記スキャナ部２１による原稿画像の読み取り処理を行う。この際、スキャナ部２１は、上記操作パネル２３によりユーザが指示したスキャンモード（モノクロ、カラー、および解像度などの設定）に従って原稿画像をスキャンする。ここでは、上記スキャナ部２１は、最大解像度（例えば、６００ｄｐｉ）で、ＲＧＢのカラー画像データ（ＲＧＢデータと称する）として原稿画像を読み取るものとする。
【００３２】
上記のようなスキャン処理により上記スキャナ部２１が原稿画像を読み取ると、上記主制御部１０のＣＰＵ１１は、上記スキャナ部２１が読み取った原稿画像の画像ファイリング処理を行う。上記スキャナ部２１により読み取ったＲＧＢデータは、図３に示すように、画像処理部１７内の画像処理ＡＳＩＣ及び画像処理ミドルウエア等により複数の形式のカラー画像データと複数の形式のモノクロ画像データとに変換され、ファイリングボックス１５ａに保存される。
【００３３】
例えば、スキャンしたＲＧＢデータは、カラー画像データとして、カラースキャン用フォーマット、カラーコピー用フォーマットに変換される。また、スキャンしたＲＧＢデータは、モノクロ画像データとして、グレイスキャン用フォーマット、モノクロスキャン用フォーマット、モノクロコピー用フォーマット、モノクロファクシミリ用フォーマットに変換される。
【００３４】
上記カラースキャン用フォーマットは、スキャンしたＲＧＢデータを所定の画像フォーマット（例えば、ＪＰＥＧ等）に変換したものである。上記カラーコピー用フォーマットは、スキャンしたＲＧＢデータを上記プリンタ部２２によるカラープリント処理用のフォーマット（例えば、プリンタ部２２の解像度のＣＭＹＫデータ）に変換したものである。
【００３５】
上記グレイスキャン用フォーマットは、スキャンしたＲＧＢデータを濃度値を有するモノクロの所定の画像フォーマット（例えば、８ビットのＪＰＥＧ等）に変換したものである。上記モノクロスキャン用フォーマットは、スキャンしたＲＧＢデータを白黒の画像フォーマット（例えば、ＪＢＩＧ等）に変換したものである。上記モノクロコピー用フォーマットは、スキャンしたＲＧＢデータを上記プリンタ部２２によるモノクロプリント処理用のフォーマット（例えば、プリンタ部２２の解像度のＫデータ）に変換したものである。上記モノクロファックス用フォーマットは、スキャンしたＲＧＢデータを上記ファクシミリインターフェース１８によるファクシミリ送信用のフォーマット（ファクシミリデータ）に変換したものである。
【００３６】
さらに、カラースキャン用フォーマット、モノクロスキャン用フォーマット、及びファックス用フォーマットの画像データは、上記画像処理部１７により、それぞれ複数の解像度に変換され、複数の解像度の複数の画像データとしてファイリングボックス１５ａに保存される。例えば、スキャンしたＲＧＢデータが６００ｄｐｉである場合、カラースキャン用フォーマット、モノクロスキャン用フォーマット、及びファックス用フォーマットとしては、それぞれ２００ｄｐｉの画像データ、４００ｄｐｉの画像データ及び６００ｄｐｉの画像データがファイリングボックス１５ａに保存される。
【００３７】
次に、ネットワークプリント処理の過程で受信した画像データ（カラープリント用の画像データあるいはモノクロプリント用の画像データ）に対する処理について説明する。  
上記ネットワークインターフェース１６によりネットワークを介してプリント用の画像データを受信した場合、上記主制御部１０のＣＰＵ１１は、受信した画像データに基づいてプリント処理を行うとともに、画像ファイリング処理を行う。ここでは、カラープリント用の画像データあるいはモノクロプリント用の画像データを受信した場合の画像ファイリング処理について説明する。
【００３８】
上記ネットワークインターフェース１６がカラープリント用の画像データを受信した場合、上記主制御部１０のＣＰＵ１１は、受信したカラープリント用の画像データに対する画像ファイリング処理を行う。この場合、受信したカラープリント用の画像データは、画像処理部１７内のＲＩＰ処理部、画像処理ＡＳＩＣ及び画像処理ミドルウエア等により、複数の形式のカラー画像データと複数の形式のモノクロ画像データとに変換され、ファイリングボックス１５ａに保存される。
【００３９】
図３に示す構成例では、カラープリント用の画像データは、上記画像処理部１７のＲＩＰ処理によりＣＭＹＫ（シアン信号Ｃ、マゼンタ信号Ｍ、イエロー信号Ｍ、および黒信号Ｋ）からなるカラー画像データ（ＣＭＹＫデータ）に変換され、種々の形式の画像データに変換され、ファイリングボックス１５ａに保存される。
【００４０】
例えば、カラープリント用の画像データとしてのＣＭＹＫデータは、カラー画像データとして、カラースキャン用フォーマット、カラー印刷用フォーマットに変換される。また、カラープリント用の画像データとしてのＣＭＹＫデータは、モノクロ画像データとして、グレイスキャン用フォーマット、モノクロスキャン用フォーマット、モノクロ印刷用フォーマット、モノクロファクシミリ用フォーマットに変換される。
【００４１】
上記カラースキャン用フォーマットは、ＣＭＹＫデータをＲＧＢデータに変換し、そのＲＧＢデータを所定の画像フォーマット（例えば、ＪＰＥＧ等）に変換したものである。上記カラー印刷用フォーマットは、ＣＭＹＫデータを上記プリンタ部２２によるカラープリント処理用のフォーマット（例えば、プリンタ部２２の解像度のＣＭＹＫデータ）に変換したものである。
【００４２】
上記グレイスキャン用フォーマットは、ＣＭＹＫデータをＲＧＢデータに変換し、そのＲＧＢデータから濃度値を有するモノクロの所定の画像フォーマット（例えば、８ビットのＪＰＥＧ等）に変換したものである。上記モノクロスキャン用フォーマットは、ＣＭＹＫデータをＲＧＢデータに変換し、そのＲＧＢデータを白黒の画像フォーマット（例えば、ＪＢＩＧ等）に変換したものである。上記モノクロコピー用フォーマットは、ＣＭＹＫデータをＲＧＢデータに変換し、そのＲＧＢデータを上記プリンタ部２２によるモノクロプリント処理用のフォーマット（例えば、プリンタ部２２の解像度のＫデータ）に変換したものである。上記モノクロファックス用フォーマットは、ＣＭＹＫデータをＲＧＢデータに変換し、そのＲＧＢデータを上記ファクシミリインターフェース１８によるファクシミリ送信用のフォーマット（ファクシミリデータ）に変換したものである。
【００４３】
また、カラースキャン用フォーマット、モノクロスキャン用フォーマット、及びファックス用フォーマットの画像データは、上記画像処理部１７によりそれぞれ複数の解像度に変換され、複数の解像度の複数の画像データとしてファイリングボックス１５ａに保存される。
【００４４】
また、上記ネットワークインターフェース１６がモノクロプリント用の画像データを受信した場合、上記主制御部１０のＣＰＵ１１は、受信したモノクロプリント用の画像データに対する画像ファイリング処理を行う。この場合、受信したモノクロプリント用の画像データは、画像処理部１７内のＲＩＰ処理部、画像処理ＡＳＩＣ及び画像処理ミドルウエア等により、複数の形式のモノクロ画像データとに変換され、ファイリングボックス１５ａに保存される。
【００４５】
図３に示す構成例では、モノクロプリント用の画像データは、上記画像処理部１７のＲＩＰ処理によりＫ信号からなるモノクロ画像データ（Ｋデータ）に変換され、種々の形式の画像データに変換され、ファイリングボックス１５ａに保存される。  
例えば、モノクロプリント用の画像データとしてのＫデータは、モノクロ画像データとして、モノクロスキャン用フォーマット、モノクロ印刷用フォーマット、モノクロファクシミリ用フォーマットに変換される。
【００４６】
上記モノクロスキャン用フォーマットは、Ｋデータを白黒の画像フォーマット（例えば、ＪＢＩＧ等）に変換したものである。上記モノクロ印刷用フォーマットは、Ｋデータを上記プリンタ部２２によるモノクロプリント処理用のフォーマット（例えば、プリンタ部２２の解像度のＫデータ）に変換したものである。上記モノクロファックス用フォーマットは、Ｋデータを上記ファクシミリインターフェース１８によるファクシミリ送信用のフォーマット（ファクシミリデータ）に変換したものである。  
また、モノクロスキャン用フォーマット及びモノクロファックス用フォーマットの画像データは、上記画像処理部１７によりそれぞれ複数の解像度に変換され、複数の解像度の複数の画像データとしてファイリングボックス１５ａに保存される。
【００４７】
次に、ファクシミリ受信処理の過程で受信した画像データに対する処理について説明する。  
上記ファクシミリインターフェース１８によりファクシミリデータを受信した場合、上記主制御部１０のＣＰＵ１１は、受信したファクシミリデータとしての画像データに基づいてプリント処理を行うとともに、受信したファクシミリデータの画像ファイリング処理を行う。ここでは、ファクシミリデータは、モノクロの画像データからなるものとする。
【００４８】
すなわち、上記ファクシミリインターフェース１８がファクシミリデータとしてのモノクロ画像データを受信した場合、上記主制御部１０のＣＰＵ１１は、受信したモノクロ画像データに対する画像ファイリング処理を行う。図３に示す構成例では、ファクシミリデータは、画像処理部１７内の画像処理ミドルウエア等により、複数の形式のモノクロ画像データに変換され、ファイリングボックス１５ａに保存される。  
例えば、ファクシミリデータとしてのモノクロ画像データは、モノクロスキャン用フォーマット、モノクロ印刷用フォーマット、モノクロファクシミリ用フォーマットに変換される。
【００４９】
上記モノクロスキャン用フォーマットは、ファクシミリデータを白黒の画像フォーマット（例えば、ＪＢＩＧ等）に変換したものである。上記モノクロ印刷用フォーマットは、ファクシミリデータを上記プリンタ部２２によるモノクロプリント処理用のフォーマット（例えば、プリンタ部２２の解像度のＫデータ）に変換したものである。上記モノクロファックス用フォーマットは、ファクシミリデータを上記ファクシミリインターフェース１８によるファクシミリ送信用のフォーマット（ファクシミリデータ）に変換したものである。
【００５０】
また、モノクロスキャン用フォーマット及びモノクロファックス用フォーマットの画像データは、上記画像処理部１７によりそれぞれ複数の解像度に変換され、複数の解像度の複数の画像データとしてファイリングボックス１５ａに保存される。
【００５１】
上記のような画像ファイリング処理によれば、スキャン、ネットワークプリント、あるいはファクシミリ受信により入力した画像データを種々のフォーマットに変換し、種々のフォーマットの画像データをファイリングボックス１５ａに保存するようにしたものである。
【００５２】
なお、スキャン、コピースキャン、カラープリント、モノクロプリントあるいはファクシミリ受信などにより入力した画像データから生成する種々のフォーマットは、ユーザが選択できるようにしても良い。これは、例えば、スキャン、コピースキャン、カラープリント、モノクロプリントあるいはファクシミリ受信により受信した画像データから生成するフォーマットの種類をユーザが予め設定しておくことにより実現できる。また、スキャン、コピースキャン、カラープリント、モノクロプリント、あるいはファクシミリ受信を行うごとに生成すべきフォーマットをユーザが指定するようにても良い。
【００５３】
また、入力した画像データを種々のフォーマットに変換する処理は、ユーザが設定した時刻に行うようにしても良い。例えば、フォーマットの変換処理を実行する時間帯を深夜などのデジタル複合機の稼働率が低い時間帯に設定しておくことにより、効率的に画像データのフォーマットの変換処理を実施することが可能となる。
【００５４】
次に、上記のような画像ファイリング機能によってファイリングボックス１５ａに保存した画像データの管理について説明する。
【００５５】
図４は、上記ファイリングボックス１５ａに保存した画像データの管理データの構成例を示す図である。  
図４に示す例では、ファイリングボックス１５ａ内に保存された種々のフォーマットの画像データを階層構造で管理している。このようなファイリングボックス１５ａ内の画像データ等を管理する管理データは、上記ファイルデータベース１５ｂに格納される。
【００５６】
図４に示すように、ファイリングボックス１５ａは、ボックスフォルダ４０にて管理される。例えば、ユーザ毎にファイリングボックス１５ａを設ける場合、各ユーザのファイリングボックス１５ａは、それぞれボックスフォルダ４１にて管理される。
【００５７】
ボックスフォルダ４１内には、当該ボックスフォルダを管理するための情報として、ファイリングボックスの状態を表すボックスステータスファイルとファイリングボックスにアクセスするためのパスワードを暗号化したパスワードフォルダが存在する。なお、上記パスワードファイルに記憶されるパスワードは、当該ファイリングボックス１５ａへのアクセスを特定のユーザに限定する場合に設定される。
【００５８】
さらに、ボックスステータスファイル及びパスワードフォルダの下の階層には、ドキュメントプロパティファイルとドキュメントフォルダとが存在する。なお、ドキュメントは、一群の画像（複数ベージの画像）からなるものである。本実施の形態では、ドキュメントは、１つの画像からなるものとして説明する。上記ドキュメントプロパティファイルは、各画像としてのドキュメントの内容を示すドキュメント管理情報を示すファイルである。上記ドキュメントフォルダは、各画像（ドキュメント）に関する種々のデータを管理するフォルダである。
【００５９】
上記ドキュメントフォルダ４２内には、ドキュメントステータスファイル、ドキュメント印刷プロパティファイル、ドキュメントスキャンプロパティファイル、ドキュメントファクシミリプロパティファイル、ページプロパティファイル、サムネイル画像ファイル、カラー画像フォルダ（ＣＯＬＯＲＩＮＧ）４３、及びモノクロ画像フォルダ（ＭＯＮＯＩＮＧ）４４が存在する。
【００６０】
上記ドキュメントステータスファイルは、ドキュメントの状態を表す情報を保持しているファイルである。上記ドキュメント印刷プロパティファイルは、ドキュメントを印刷するための情報を保持しているファイルである。上記ドキュメントスキャンプロパティファイルはドキュメントをファイルとしてＰＣ等の外部装置へ転送するための情報を保持しているファイルである。ドキュメントファクシミリプロパティファイルは、ドキュメントをファクシミリ送信するための情報を保持しているファイルである。上記ページプロパティファイルは、ドキュメントを構成する各画像のサイズ等の情報を保持しているファイルである。上記サムネイル画像ファイルは、当該ドキュメントをサムネイル表示用するための画像データのファイルである。
【００６１】
上記カラー画像フォルダ４３内には、スキャン画像フォルダ（ＳＣＡＮＩＮＧ）４５、プリント画像フォルダ（ＰＲＩＮＴＩＮＧ）４６がある。  
上記スキャン画像フォルダ４５には、カラースキャン用フォーマットの画像データが画像ファイルとして管理される。さらに、スキャン画像フォルダ４５内では、各解像度（２００ｄｐｉ、４００ｄｐｉ、６００ｄｐｉ）のカラースキャン用フォーマットの画像データが管理される。
【００６２】
上記プリント画像フォルダ４６には、カラーコピー用フォーマット（あるいはカラー印刷用フォーマット）の画像データが画像ファイルとして管理される。なお、図４に示す例では、プリント画像フォルダ４６内には、シアンの画像データ（Ｃ  ｒｅｃｔｏｒ）、マゼンタの画像データ（Ｍ  ｒｅｃｔｏｒ）、イエローの画像データ（Ｙ  ｒｅｃｔｏｒ）、および、黒の画像データ（Ｋ  ｒｅｃｔｏｒ）が、カラーコピー用フォーマット（あるいはカラー印刷用フォーマット）の画像データとして管理されている。
【００６３】
また、上記モノクロ画像フォルダ４４内には、スキャン画像フォルダ（ＳＣＡＮＩＮＧ）４７、プリント画像フォルダ（ＰＲＩＮＴＩＮＧ）４８、および、ファクシミリ画像フォルダ（ＦＡＸＩＮＧ）４９がある。
【００６４】
上記スキャン画像フォルダ４７には、モノクロスキャン用フォーマットの画像データあるいはグレイスキャン用フォーマットの画像データが画像ファイルとして管理される。さらに、スキャン画像フォルダ４７内では、各解像度（２００ｄｐｉ、４００ｄｐｉ、６００ｄｐｉ）のモノクロスキャン用フォーマット（あるいはグレイスキャン用フォーマット）の画像データが管理される。
【００６５】
上記プリント画像フォルダ４８には、モノクロコピー用フォーマット（あるいはモノクロ印刷用フォーマット）の画像データが画像ファイルとして管理される。なお、図４に示す例では、プリント画像フォルダ４８内には、黒の画像データ（Ｋ  ｒｅｃｔｏｒ）がモノクロコピー用フォーマット（あるいはモノクロ印刷用フォーマット）の画像データとして管理されている。
【００６６】
上記ファクシミリ画像フォルダ４９には、モノクロファクシミリ用フォーマットの画像データが画像ファイルとして管理される。さらに、ファクシミリ画像フォルダ４９内では、複数の解像度（２００ｄｐｉ、４００ｄｐｉ、６００ｄｐｉ）のモノクロファクシミリ用フォーマットの画像データが管理される。  
上記のような管理構造によれば、ファイリングボックス１５ａに記憶した種々のフォーマットの画像データを容易に管理することができる。
【００６７】
上記のように、本デジタル複合機１の画像ファイリング処理では、スキャン処理、ネットワークプリント処理、あるいはファクシミリ受信処理により画像データを入力した際に、入力した画像データを種々のフォーマットに変換し、種々のフォーマットの画像データをファイリングボックス１５ａに保存するようにしたものである。これにより、ファイリングボックス１５ａからは、使用目的に適した画像データを直に出力することが可能となる。
【図面の簡単な説明】
【００６８】
【図１】画像ファイリング装置としてのデジタル複合機の構成を概略的に示すブロック図である。
【図２】デジタル複合機の画像ファイリング機能による画像データの入出力を説明するための図である。
【図３】画像ファイリング機能による画像データに対する処理の流れを示す図である。
【図４】ファイリングボックスに保存した画像データの管理データの構成例を示す図である。
【符号の説明】
【００６９】
１…デジタル複合機、１０…主制御部、１１…ＣＰＵ、１５…記憶装置（ハードディスクドライブ）、１５ａ…ファイリングボックス、１５ｂ…ファイルデータベース、１６…ネットワークインターフェース、１７…画像処理部、１８…ファクシミリインターフェース、２１…スキャナ部、２２…プリンタ部、２３…操作パネル、４０…ボックスフォルダ、４１…ボックスフォルダ、４２…ドキュメントフォルダ、４３…カラー画像フォルダ、４４…モノクロ画像フォルダ、４５…スキャン画像フォルダ、４６…プリント画像フォルダ、４７…スキャン画像フォルダ、４８…プリント画像フォルダ、４９…ファクシミリ画像フォルダ
【図１】
2006094475.tif 000003
【図２】
2006094475.tif 000004
【図３】
2006094475.tif 000005
【図４】
2006094475.tif 000006